(57)【要約】      （修正有）【課題】袋体への土砂の投入、作業場所の移動、及び支持枠体からの袋体の取り外しを作業員一人で容易に行うことができる袋体の支持枠体を提供する。【解決手段】上部水平枠４と下部水平枠５とを複数の支柱で連結してなる筒状枠部材２と、下部水平枠の内側又は下面に取り付けられ筒状枠部材の底部を形成する底部材３とからなる袋体の支持枠体１であって、支柱又は下部水平枠に複数の第１係合部７を水平円周上に配列するように設置し、底部材の外周部に、前記第１係合部への係止方向を同一の水平回転方向とする複数の第２係合部８を設置することにより、筒状枠部材を所定方向に水平回転させると筒状枠部材の第１係合部が底部材の第２係合部に係合して底部材が筒状枠部材と連結し、筒状枠部材を逆方向に水平回転させると筒状枠部材の第１係合部と底部材の第２係合部の係合が解除して底部材が筒状枠部材から離脱することを特徴とする。【選択図】図１
0003175698.tif 000002
【実用新案登録請求の範囲】
【請求項１】
上部水平枠と下部水平枠とを複数の支柱で連結してなる筒状枠部材と、下部水平枠の内側又は下部水平枠の下面に取り付けられ筒状枠部材の底部を形成する底部材と、からなる袋体の支持枠体であって、支柱又は下部水平枠に複数の第１係合部を水平円周上に配列するように設置し、底部材の外周部に、前記第１係合部への係止方向を同一の水平回転方向とする複数の第２係合部を設置することにより、筒状枠部材を所定方向に水平回転させると筒状枠部材の第１係合部が底部材の第２係合部に係合して底部材が筒状枠部材と連結し、筒状枠部材を逆方向に水平回転させると筒状枠部材の第１係合部と底部材の第２係合部の係合が解除して底部材が筒状枠部材から離脱することを特徴とする袋体の支持枠体。
【請求項２】
支柱の下端部又は下部水平枠に下部水平枠の枠内方向に突出する第１係合部を設け、底部材の外周部に第１係合部の上に交差して係止する第２係合部を設けることにより、筒状枠部材を所定方向に水平回転させると筒状枠部材の第１係合部の上に底部材の第２係合部が乗るように交差して底部材が筒状枠部材と連結し、逆方向に水平回転させると筒状枠部材の第１係合部と底部材の第２係合部の交差が解除して底部材が筒状枠部材から離脱することを特徴とする請求項１記載の袋体の支持枠体。
【請求項３】
下部水平枠が円形状であって、第１係合部を設けた複数の支柱を下部水平枠に等間隔に連結することにより、下部水平枠の内周に沿って複数の第１係合部を円周方向に等間隔に設置し、底部材の外周部に前記第１係合部と係合するための複数の第２係合部を円周方向に等間隔に複数設置することを特徴とする請求項２記載の袋体の支持枠体。
【請求項４】
下部水平枠が円形状であって、下部水平枠に複数の第１係合部を円周方向に等間隔に設置し、底部材の外周部に前記第１係合部と係合するための複数の第２係合部を円周方向に等間隔に複数設置することを特徴とする請求項２記載の袋体の支持枠体。
【請求項５】
底部材が底部の略中心位置で交差する複数の棒状部材からなり、第２係合部が、棒状部材の端部から略垂直上方に延出する垂直延出部と該垂直延出部の先端から同一の水平回転方向に延出する係合突起部からなることを特徴とする請求項１乃至４のいずれかに記載の袋体の支持枠体。
【請求項６】
底部材が底部の略中心位置で直角に交差する２本の棒状部材からなることを特徴とする請求項５記載の袋体の支持枠体。
【請求項７】
底部材が底部の略中心位置で交差する複数の棒状部材と、該棒状部材が交差する交差部上に配置した底部の略中心位置を中心とする円形状の板状部材からなることを特徴とする請求項５又は６記載の袋体の支持枠体。
【請求項８】
上部水平枠と下部水平枠がともに円形状であって、上部水平枠は下部水平枠より小径であることを特徴とする請求項１乃至７のいずれかに記載の袋体の支持枠体。
【考案の詳細な説明】
【技術分野】
【０００１】
本考案は、例えば土嚢用の袋体を上方に開口した状態に保持するための袋体の支持枠体に関する。
【背景技術】
【０００２】
従来より、麻布や合成繊維シート等からなる袋体に土砂などを詰め込んだ土嚢は、堤防の決壊を防止したり、大雨時における流水の侵入を妨げるための建築用材として広く用いられてきた。また、近年では、公害により汚染した土壌を除去するために土嚢用の袋体に汚染土壌を詰めて移動する作業が行われる。
【０００３】
このように袋体に土砂等を詰め込む作業は、通常、二人で行うものであり、一方の者が袋体の開口縁を手に持ち袋体を上方に開口した状態に保持し、他方の者がスコップ等を使用して土砂を袋体の中に注ぎ入れて行うが、このように二人一組で作業を行うとすれば緊急時においては多勢の作業員が必要となり、人員確保に問題が生じやすい。また、袋を支える者の手に、スコップの先端が誤って接触したり、汚染した土壌が降りかかるなどの危険性もある。
【０００４】
また、土砂等の詰め込み作業においては、袋体に土砂を半ば程度詰め込んだところで、場所を移動し、再び詰め込み作業を開始することが必要な場合がある。そのような場合は、袋体を支持枠体に組み付けた状態で支持枠体を持って移動できることが好ましい。また、土砂を完全に詰め込んだ袋体は、数十キロの相当重量となるが、詰め込み作業が完了した後、袋体を支持枠体から取り外し袋体の開口を封鎖する作業を一人で容易に行うことができるものであることが望ましい。
【０００５】
土嚢用の袋体を支え開口状態に保持するための支持枠体は、これまでにも知られているが(特許文献１等)、これらの支持枠体では、作業途中で袋体を支持枠体に組み付けた状態のまま場所を移動することができず、また、詰め込み作業後に、袋体を支持枠体から取り外し袋体の開口を封鎖する作業を作業員一人で容易に行えるものではなかった。
【０００６】
したがって、作業員一人で袋体への土砂の投入、作業場所の移動、及び支持枠体からの袋体の取り外し作業を容易かつ円滑に行うことができる支持枠体の考案が望まれる。
【先行技術文献】
【特許文献】
【０００７】
【特許文献１】特開２００６−１７９５６１号公報
【特許文献２】特開２００７−１９８０１２号公報
【考案の概要】
【考案が解決しようとする課題】
【０００８】
本考案は、袋体への土砂の投入、作業場所の移動、及び支持枠体からの袋体の取り外しを作業員一人で容易かつ円滑に行うことができる袋体の支持枠体を提供することを課題とする。
【課題を解決するための手段】
【０００９】
前記課題を解決するために本考案者が検討を行った結果、上部水平枠と下部水平枠とを複数の支柱で連結してなる筒状枠部材と、下部水平枠の内側又は下部水平枠の下面に取り付けられ筒状枠部材の底部を形成する底部材と、からなる袋体の支持枠体において、支柱又は下部水平枠に複数の第１係合部を水平円周上に配列するように設置し、底部材の外周部に、前記第１係合部との係止方向を同一の水平回転方向とする複数の第２係合部を設置することにより、筒状枠部材を所定方向に水平回転させると筒状枠部材の第１係合部が底部材の第２係合部に係合して底部材が筒状枠部材と連結し、筒状枠部材を逆方向に水平回転させると筒状枠部材の第１係合部と底部材の第２係合部の係合が解除して底部材が筒状枠部材から離脱するため、支持枠体を回転させることで底部材を容易に着脱できることを見出し本考案を完成するに至った。
【００１０】
すなわち本考案は、上部水平枠と下部水平枠とを複数の支柱で連結してなる筒状枠部材と、下部水平枠の内側又は下部水平枠の下面に取り付けられ筒状枠部材の底部を形成する底部材と、からなる袋体の支持枠体であって、支柱又は下部水平枠に複数の第１係合部を水平円周上に配列するように設置し、底部材の外周部に、前記第１係合部への係止方向を同一の水平回転方向とする複数の第２係合部を設置することにより、筒状枠部材を所定方向に水平回転させると筒状枠部材の第１係合部が底部材の第２係合部に係合して底部材が筒状枠部材と連結し、筒状枠部材を逆方向に水平回転させると筒状枠部材の第１係合部と底部材の第２係合部の係合が解除して底部材が筒状枠部材から離脱することを特徴とする袋体の支持枠体である。
【００１１】
さらに本考案は、支柱の下端部又は下部水平枠に下部水平枠の枠内方向に突出する第１係合部を設け、底部材の外周部に第１係合部の上に交差して係止する第２係合部を設けることにより、筒状枠部材を所定方向に水平回転させると筒状枠部材の第１係合部の上に底部材の第２係合部が乗るように交差して底部材が筒状枠部材と連結し、逆方向に水平回転させると筒状枠部材の第１係合部と底部材の第２係合部の交差が解除して底部材が筒状枠部材から離脱することを特徴とする袋体の支持枠体である。
【００１２】
さらに本考案は、下部水平枠が円形状であって、第１係合部を設けた複数の支柱を下部水平枠に等間隔に連結することにより、下部水平枠の内周に沿って複数の第１係合部を円周方向に等間隔に設置し、底部材の外周部に前記第１係合部と係合するための複数の第２係合部を円周方向に等間隔に複数設置することを特徴とする袋体の支持枠体である。
【００１３】
また本考案は、下部水平枠が円形状であって、下部水平枠に複数の第１係合部を円周方向に等間隔に設置し、底部材の外周部に前記第１係合部と係合するための複数の第２係合部を円周方向に等間隔に複数設置することを特徴とする袋体の支持枠体である。
【００１４】
さらに本考案は、底部材が底部の略中心位置で交差する複数の棒状部材からなり、第２係合部が、棒状部材の端部から略垂直上方に延出する垂直延出部と該垂直延出部の先端から同一の水平回転方向に延出する係合突起部からなることを特徴とする袋体の支持枠体である。
【００１５】
さらに本考案は、底部材が底部の略中心位置で直角に交差する２本の棒状部材からなることを特徴とする袋体の支持枠体である。
【００１６】
さらに本考案は、底部材が底部の略中心位置で交差する複数の棒状部材と、当該棒状部材が交差する交差部上に配置した底部の略中心位置を中心とする円形状の板状部材からなることを特徴とする袋体の支持枠体である。
【００１７】
さらに本考案は、上部水平枠と下部水平枠がともに円形状であって、上部水平枠は下部水平枠より小径であることを特徴とする袋体の支持枠体である。
【考案の効果】
【００１８】
支柱又は下部水平枠に設置した複数の第１係合部と、底部材の外周部に設けた複数の第２係合部とは、筒状枠部材を所定方向に水平回転させると係合して底部材を筒状枠部材と連結させることができ、筒状枠部材を逆方向に水平回転させると係合が解除して底部材を筒状枠部材から離脱させることができる。
【００１９】
そして、筒状枠部材を所定の方向に水平回転させ底部材を筒状枠部材に連結させた状態で、袋体を支持枠体にセットすれば、袋体の開口周縁は支持枠体の筒状枠部材(上部水平枠)により支えられ、袋体の底面は支持枠体の底部材により支えられる。これにより、袋体を開口状態に確実に保持することができるとともに、たとえ、詰め込み作業の半ばで場所を移動する必要があるとしても、支持枠体を持って移動すれば、支持枠体の底部分から袋体が抜け落ちることなく、作業の場所を円滑に変更することができる。
【００２０】
また、袋体への詰め込み作業が終了すると、袋体を支持枠体から取り外し袋体の開口を封鎖する必要があるが、土砂を袋体一杯に詰め込んだ重量は数十キロの相当重量であり、一人で袋体を持ち上げるには労力を要するが、本考案の支持枠体によれば、支持枠体を逆の方向に水平回転させれば、底部材を筒状枠部材から簡単に離脱させることができるため、袋体と底部材を残した状態で筒状枠部材だけを取り去れば、袋体の開口を容易に封鎖することができ、高い位置にまで土砂が入った袋体を持ち上げ、袋体を支持枠体から引き抜くなどの手間を必要としない。これにより、作業員一人でも、袋体への土砂の投入、作業場所の移動、及び支持枠体からの袋体の取り外しの作業を容易かつ円滑に行うことが可能となる。
【００２１】
底部材を着脱するために行う筒状枠部材の水平回転は、水平移動のように移動する方向を確認する必要がなく、袋体を支持枠体にセットした状態でも容易に行うことができる。また、支持枠体を移動する途中で支持枠体が傾いたとしても、筒状枠部材と底部材との相対回転を伴うものではないため、誤って底部材が脱落するなど事故が発生する危険性もない。
【００２２】
さらに、上部水平枠と下部水平枠をともに円形状とし、上部水平枠を下部水平枠より小径とすれば、作業終了後には、底部材と筒状枠部材との連結を解除し、複数の筒状枠部材を上方向に積み重ねることができるため、収容スペースを小さくすることができる。また、下部水平枠が円形状であることにより、凹凸のある地面の上でもぐらつくことが少なく、安定に据え置くことができる。
【図面の簡単な説明】
【００２３】
【図１】支持枠体の外観図(底部材を取り付けた状態)
【図２】支持枠体の外観図(底部材を取り外した状態)
【図３】支持枠体の外観図(他の実施形態(底部材に板状部材を取り付けた形態))
【図４】第１係合部と第２係合部の係止状態を示す図((ａ)第１係合部と第２係合部が係合した状態、(ｂ)第１係合部と第２係合部との係合を解除した状態)
【図５】袋体と支持枠体を移動する状態を示す図
【図６】筒状枠部材を取り外した状態を示す図
【考案を実施するための形態】
【００２４】
本考案の袋体の支持枠体について、図を参照して以下に説明する。
【００２５】
袋体の支持枠体(１)は、図１に示すように、上部水平枠(４)と下部水平枠(５)とを複数の支柱(６)で連結してなる筒状枠部材(２)と、下部水平枠(５)の内側又は下部水平枠(５)の下面に取り付けられ筒状枠部材(２)の底部(2a)を形成する底部材(３)とからなる。
【００２６】
筒状枠部材(２)と底部材(３)との連結は、支柱(６)又は下部水平枠(５)に水平円周上に配列するように設置された複数の第１係合部(７)と、底部材(３)の外周部(3a)に設置された、第１係合部(７)への係止方向を同一の水平回転方向とする複数の第２係合部(８)との係合により行われる。
【００２７】
図１に示すように、支柱(６)の下端部(6a)に下部水平枠(５)の枠内方向に突出する第１係合部(７)を設け、底部材(３)の外周部(3a)に第１係合部(７)の上に交差して係止する第２係合部(８)を設けることにより、筒状枠部材(２)を所定方向に水平回転させると筒状枠部材(２)の第１係合部(７)が底部材(３)の第２係合部(８)に係合して底部材(３)が筒状枠部材(２)と連結し(図１)、筒状枠部材(２)を逆方向に水平回転させると筒状枠部材(２)の第１係合部(７)と底部材(３)の第２係合部(８)の係合が解除して底部材(３)が筒状枠部材(２)から離脱することができる(図２)。
【００２８】
第１係合部を設置する方法は特に限定されるものではないが、図１に示すように、支柱(６)の下端を折り曲げることにより第１係合部(７)を一体的に形成すれば、強度にすぐれ、生産性も向上するため好ましい。
【００２９】
下部水平枠(５)を円形状とし、下端部(6a)に第１係合部(７)を設置した複数の支柱(６)を下部水平枠(５)に等間隔に連結することにより、下部水平枠(５)の内周に沿って複数の第１係合部(７)を円周方向に等間隔に設置することができる。そして、底部材(３)の外周部(3a)に第１係合部と係合するための複数の第２係合部(８)を円周方向に等間隔に複数設置すれば、底部材(３)の外周部(3a)が筒状枠部材(２)に均等の間隔で連結するため、相当重量の袋体であってもバランスを損なうことがなく、支持枠体(２)の底部(2a)が抜け落ちるなどの危険性がない。
【００３０】
また第１係合部(７)は必ずしも支柱(６)に設ける必要はなく、下部水平枠(５)に設置してもよい。例えば、円形状の下部水平枠(５)に複数の第１係合部(７)を円周方向に等間隔に設置し、底部材(３)の外周部(3a)に第１係合部と係合するための複数の第２係合部(８)を円周方向に等間隔に複数設置すれば、底部材(３)の外周部(3a)と筒状枠部材(２)とを均等の間隔で連結することができる。
【００３１】
底部材(３)は、底部(2a)の略中心位置で交差する複数の棒状部材(９)で形成されるとともに、棒状部材(９)の端部には、略垂直上方に延出する垂直延出部(9a)と当該垂直延出部の先端から同一の水平回転方向に延出する係合突起部(9b)からなる第２係合部(８)が形成される(図１，４)。底部材(３)と連結するように筒状枠部材(２)を回転させると、第１係合部(７)は垂直延出部(9a)と当接し、作業員は第１係合部と第２係合部の係合が完了したことを感知することができる。また、このとき第２係合部は第１係合部の上に乗るように交差して係止するため、筒状枠部材(２)とともに底部材(３)を持ち上げることができる。
【００３２】
第２係合部を設置する方法は特に限定されるものではないが、図１、４に示すように、棒状部材(９)の端部を折り曲げることにより第２係合部(８)を一体的に形成すれば、強度にすぐれ、生産性も向上するため好ましい。
【００３３】
また、底部材(３)を形成する棒状部材(９)の材質および本数等は特に限定されるものではないが、鉄等の金属製棒状部材であれば、底部(2a)の略中心位置で２本を直角に交差することで、十分な強度を得ることができる。
【００３４】
さらに、底部材(３)は図３に示すように、棒状部材(９)が交差する交差部上に底部(2a)の略中心位置を中心とする円形状の板状部材(13)を設置することが好ましい。このような板状部材(13)を設置すれば、広い面積で袋体の底を支えることができ、袋体を安定に保持することができるとともに、棒状部材(９)の撓みや変形を抑えることができ、支持枠体(１)の強度を向上することができる。
【００３５】
このようにして第１係合部と第２係合部をそれぞれ筒状枠部材と底部材に設置することにより、筒状枠部材(２)を所定方向に水平回転させると筒状枠部材(２)の第１係合部(７)の上に底部材(３)の第２係合部(８)が乗るように交差して筒状枠部材(２)と底部材(３)が連結し(図４(ａ))、逆方向に水平回転させると筒状枠部材(２)の第１係合部(７)と底部材(３)の第２係合部(８)の交差が解除して筒状枠部材(２)と底部材(３)の連結を解除することができる(図４(ｂ))。
【００３６】
そして、筒状枠部材(２)を所定の方向に水平回転させ、底部材(３)を筒状枠部材(２)に連結させた状態で、袋体(10)の開口周縁を上部水平枠を挟んで折り返し、支持枠体(１)にセットすれば(図５)、袋体(10)の開口周辺は支持枠体(１)の筒状枠部材(２)(上部水平枠(４))により支えられ、袋体(10)の底面は支持枠体(２)の底部材(３)により支えられる。これにより、袋体を開口状態に確実に保持することができるとともに、たとえ、詰め込み作業の半ばで場所を移動する必要があるとしても、図５に示すように、支持枠体(１)を持って移動すれば、支持枠体の底部分から袋体が抜け落ちることなく、作業の場所を円滑に変更することができる。
【００３７】
また、袋体への詰め込み作業が終了すると、袋体を支持枠体から取り外し袋体の開口を封鎖する必要があるが、土砂を袋体一杯に詰め込んだ重量は数十キロの相当重量であり、一人で袋体を持ち上げるには労力を要するが、本考案の支持枠体によれば、支持枠体を逆の方向に水平回転させれば、底部材を筒状枠部材から簡単に離脱させることができるため、図６に示すように、袋体(10)と底部材(３)を残した状態で筒状枠部材だけを取り去れば、袋体の開口を容易に封鎖することができ、高い位置にまで土砂が入った袋体を持ち上げ、袋体を支持枠体から引き抜くなどの手間を必要としない。これにより、作業員一人でも、袋体への土砂の投入、作業場所の移動、及び支持枠体からの袋体の取り外しの作業を容易かつ円滑に行うことが可能となる。
【００３８】
底部材(３)を着脱するために行う筒状枠部材(２)の水平回転は、水平移動のように移動する方向を確認する必要がなく、袋体(10)を支持枠体(１)にセットした状態でも容易に行うことができる。また、支持枠体を移動する途中で支持枠体が傾いたとしても、筒状枠部材と底部材との相対回転を伴うものではないため、誤って底部材が脱落するなど事故が発生する危険性もない。
【００３９】
さらに、上部水平枠(４)と下部水平枠(５)をともに円形状とし、上部水平枠(４)を下部水平枠(５)より小径とすれば、作業終了後には、底部材(３)を支持枠体(１)から取り外し、複数の筒状枠部材(２)を上方向に積み重ねることができるため、収容スペースを小さくすることができる。また、下部水平枠(５)が円形状であることにより、凹凸のある地面の上でもぐらつくことが少なく、安定に据え置くことができる。
【符号の説明】
【００４０】
１  支持枠体
２  筒状枠部材
２ａ  底部
３  底部材
３ａ  外周部
４  上部水平枠
５  下部水平枠
６  支柱
７  第１係合部
８  第２係合部
９  棒状部材
９ａ  垂直延出部
９ｂ  係合突起部
１０  袋体
１１  土砂
１３  板状部材
【図１】
0003175698.tif 000003
【図２】
0003175698.tif 000004
【図３】
0003175698.tif 000005
【図４】
0003175698.tif 000006
【図５】
0003175698.tif 000007
【図６】
0003175698.tif 000008